(57)【特許請求の範囲】
【請求項１】
複数の要素マット体が、互いに間隙を挟んで平面的に隣接配列された状態で、結合部を介して連結されてなるマット体であって、
前記要素マット体は、プラスチック材料製の要素マット基盤部を備えるものであり、
前記結合部は、前記複数の要素マット体のうち、隣接する要素マット体同士のみを連結するものであって、隣接要素マット体の一方及び他方にそれぞれ結合した一方の結合端部と他方の結合端部を有すると共に、一方の結合端部から他方の結合端部に至るまでの間に、上に凸の屈曲部を有するものであり、
前記結合部と、前記要素マット体のうち要素マット基盤部を含む部分は、プラスチック材料により一体成形されており、
上側が内側になるようにマット体を折り曲げる場合に、主に前記結合部における上に凸の屈曲部の屈曲角が拡がることによりマット体が折れ曲がり、マット体を復元させることにより前記屈曲部も復元することを特徴とするマット体。
【請求項２】
隣接要素マット体における、間隙部を挟んで隣接する両外周縁部に、それぞれ前記結合部の一方の結合端部と他方の結合端部が結合している請求項１記載のマット体。
【請求項３】
結合部における屈曲部の全部又は上部が要素マット基盤部よりも上方に位置する請求項１又は２記載のマット体。
【請求項４】
結合部全体が要素マット基盤部の上面以上に位置する請求項１又は２記載のマット体。
【請求項５】
隣接要素マット体における、間隙部を挟んで隣接する両外周縁部上面に、それぞれ前記結合部の一方の結合端部と他方の結合端部が結合している請求項４記載のマット体。
【請求項６】
結合部が断面倒立Ｕ字状をなし、その一方の下端部が一方の結合端部を構成し、他方の下端部が他方の結合端部を構成する請求項５記載のマット体。
【請求項７】
要素マット体が、要素マット基盤部よりも少なくとも上方に、結合部以外の上部構造部を有し、結合部の上端部の高さが前記上部構造部の高さよりも低い請求項３乃至６の何れか１項に記載のマット体。
【請求項８】
多数の要素マット体が、碁盤目状をなすように互いに間隙を挟んで平面的に隣接配列された状態で、結合部を介して連結されてなり、
前記結合部は、前記複数の要素マット体のうち、相対する辺同士の間隙を挟んで隣接する要素マット体同士のみを連結するものである請求項１乃至７の何れか１項に記載のマット体。
【発明の詳細な説明】
【技術分野】
【０００１】
本発明は、複数の要素マット体が、互いに間隙を挟んで平面的に隣接配列された状態で、隣接要素マット体同士が結合部を介して連結されてなるマット体に関する。
【背景技術】
【０００２】
特開平９−４１６４１号公報（特許文献１）には、マット本体が複数のブロックから構成されており、各ブロックは所定幅の空隙を隔てて配置されるとともに、隣接するブロック間にかけ渡された連結帯により相互に連結されている合成樹脂製マットにおいて、前記連結帯が、横方向に折り返された平面視略Ｖ字状体を含んで形成されるとともに、両端部分でブロックの側面にそれぞれ連結されていることを特徴とする合成樹脂製マットが記載されている。
【０００３】
この種の合成樹脂製マットは、敷設対象の面積に応じて複数のマットが連結されて使用される。敷設対象面やマットの下側等の清掃を行うには、マットを移動させるか、或いは多数のマットが連結敷設されている場合のように移動が困難な場合は、上側が内側になるようにマットを巻いて清掃を行うことが考えられる。
【０００４】
特開平９−４１６４１号公報記載の合成樹脂製マットは、隣接するブロック間にかけ渡された連結帯が、横方向に折り返された平面視略Ｖ字状体を含んで形成されるとともに、両端部分でブロックの側面にそれぞれ連結されているので、従来のものに比べて連結帯の変形に対する自由度を高くすることが可能であるとされている。しかしながら、上側が内側になるようにマットを巻くことについてはなんら考慮されてない。
【０００５】
同公報の図８には、一端が一方のブロック７２の基板７５側面上部に連結されるとともに、他端が他方のブロック７２の基板７５側面下部に連結されており、一端近傍で下向きに折り曲げられるとともに、この下向きに折り曲げられた部分の下端部がＵ字状に立ち上げられた形状の連結帯７４により隣接ブロック７２が連結された合成樹脂製マットの例が示されている。
【０００６】
この場合、連結帯７４が変形して空隙７３に沿って折れ曲がるので、巻き取りが容易になるとされているが、ブロック７２が収縮して空隙７３の幅が広くなった場合、図８（ｂ）に示すようにブロック７２の一方が浮き上がることになり、この浮き上がった部分が靴で踏まれると、連結帯７４に引張応力が生じて、連結帯７４が切断されるおそれがあった。
【特許文献１】特開平９−４１６４１号公報
【発明の開示】
【発明が解決しようとする課題】
【０００７】
本発明は、従来技術に存した上記のような課題に鑑み行われたものであって、その目的とするところは、複数の要素マット体が結合部を介して連結されてなるマット体であって、温度に応じた要素マット体の伸縮による寸法変動を結合部により吸収することができ、連結体により連結した一方の要素マット体の浮き上がりを招き難く、上側が内側になるようにマット体を折り曲げることにより、無理なく折れ曲がって巻くことができ、マット体を載置した面やマット体の下側部の清掃等を容易に行うことができるマット体を提供することにある。
【課題を解決するための手段】
【０００８】
(1) 上記目的を達成する本発明のマット体は、
複数の要素マット体が、互いに間隙を挟んで平面的に隣接配列された状態で、隣接要素マット体同士が結合部を介して連結されてなるマット体であって、
前記要素マット体は、プラスチック材料製の要素マット基盤部を備えるものであり、
前記結合部は、隣接要素マット体の一方及び他方にそれぞれ結合した一方の結合端部と他方の結合端部を有すると共に、一方の結合端部から他方の結合端部に至るまでの間に、上に凸の屈曲部を有するものであり、
前記結合部と、前記要素マット体のうち要素マット基盤部を含む部分は、プラスチック材料により一体成形されており、
上側が内側になるようにマット体を折り曲げる場合に、主に前記上に凸の屈曲部の屈曲角が拡がることによりマット体が折れ曲がり、マット体を復元させることにより前記屈曲部も復元することを特徴とする。
【０００９】
このマット体は、プラスチック材料製の要素マット基盤部を備える複数の要素マット体同士が、互いに間隔を挟んで平面的に隣接配列された状態で結合部を介して連結されてなり、結合部と、要素マット体のうち要素マット基盤部を含む部分は、プラスチック材料により一体成形されている。
【００１０】
結合部は、隣接要素マット体の一方及び他方にそれぞれ結合した一方の結合端部と他方の結合端部を有すると共に、一方の結合端部から他方の結合端部に至るまでの間に、上に凸の屈曲部を有する。
【００１１】
そのため、温度に応じた要素マット体の伸縮による寸法変動を結合部により吸収することができ、一方の要素マット体の浮き上がりを招くことも生じ難い。而も、上側が内側になるようにマット体を折り曲げる場合に、主に屈曲部の屈曲角が拡がることによりマット体が無理なく折れ曲がることとなる。このように上側が内側になるようにマット体を折り曲げて、大きな面積にわたるマット（単独のマット体、又は、複数の要素マット体からなるマット体を複数連結したマット）を巻くことにより、マット体を載置した面やマット体の下側部の清掃等を容易に行うことができる。折り曲げたマット体を復元させると、屈曲部の屈曲角が縮小して屈曲部も復元する。
【００１２】
上記マット体は、隣接要素マット体における、間隙部を挟んで隣接する両外周縁部に、それぞれ前記結合部の一方の結合端部と他方の結合端部が結合しているものとすることができる。
【００１３】
(2) また上記本発明のマット体は、結合部における屈曲部の全部又は上部が要素マット基盤部よりも上方に位置するものとすることが望ましい。
【００１４】
結合部における屈曲部の全部又は上部が要素マット基盤部よりも上方に位置する場合、上側が内側になるようにマット体を折り曲げる際に、上に凸の屈曲部の屈曲角が拡がることが隣接要素マット基盤部同士の接触等により阻害されることが比較的生じ難く、マット体を折り曲げることを行い易い。
【００１５】
(3) また上記本発明のマット体は、結合部全体が要素マット基盤部の上面以上に位置するものとすることが望ましい。
【００１６】
屈曲部を含む結合部全体が要素マット基盤部の上面以上に位置する場合、上側が内側になるようにマット体を折り曲げる際に、上に凸の屈曲部の屈曲角が拡がることが隣接要素マット基盤部同士の接触等により阻害されることが生じ難く、マット体を折り曲げることを行い易い。
【００１７】
このマット体は、隣接要素マット体における、間隙部を挟んで隣接する両外周縁部上面に、それぞれ前記結合部の一方の結合端部と他方の結合端部が結合しているものとすることができる。
【００１８】
この場合、隣接要素マット体における、間隙部を挟んで隣接する両外周縁部上面に、それぞれ前記結合部の一方の結合端部と他方の結合端部が結合しており、屈曲部を含む結合部全体が要素マット基盤部の上面以上に位置するので、間隙部の幅を最小限に抑えて、例えば折り曲げない通常使用時にハイヒールのヒールのように細い物が嵌まり込むことを防ぎつつ、上側が内側になるようにマット体を折り曲げる際に、上に凸の屈曲部の屈曲角が拡がることが隣接要素マット基盤部同士の接触等により阻害されることを防いで、マット体を折り曲げることを行い易いものとすることができる。
【００１９】
また、このマット体は、結合部が断面倒立Ｕ字状をなし、その一方の下端部が一方の結合端部を構成し、他方の下端部が他方の結合端部を構成するものとすることができる。
【００２０】
(4) 上記本発明の各マット体は、要素マット体が、要素マット基盤部よりも少なくとも上方に、結合部以外の上部構造部を有し、結合部の上端部の高さが前記上部構造部の高さよりも低いものとすることができる。
【００２１】
この場合、要素マット体が、要素マット基盤部よりも上方に結合部以外の上部構造部（例えば要素マット基盤部と一体に成形された芝葉状部や要素マット基盤部に固定された別体のブラシ部等）を有する場合に、結合部の上端部の高さが結合部以外の上部構造部の高さよりも低い。そのため、マットとして折り曲げずに使用する際に、結合部が傷んだり結合部がマットとしての機能を阻害することなどが防がれる。
【発明の効果】
【００２２】
本発明のマット体は、温度に応じた要素マット体の伸縮による寸法変動を結合部により吸収することができ、一方の要素マット体の浮き上がりを招くことも生じ難い。而も、上側が内側になるようにマット体を折り曲げる場合に、主に屈曲部の屈曲角が拡がることによりマット体が無理なく折れ曲がることとなる。このように上側が内側になるようにマット体を折り曲げて、大きな面積にわたるマット（単独のマット体、又は、複数の要素マット体からなるマット体を複数連結したマット）を巻くことにより、マット体を載置した面やマット体の下側部の清掃等を容易に行うことができる。
【発明を実施するための最良の形態】
【００２３】
本発明の実施の形態を、図面を参照しつつ説明する。
【００２４】
図１乃至図６は何れも本発明の実施の形態の一例としてのマット体に関するものであって、図１は平面概略図、図２は要部拡大平面図、図３は正面概略図、図４は要部拡大正面図、図５は側面概略図、図６は、図１におけるVI−VI線要部拡大断面図である。図７は別の実施の形態についての要部側面図、図８は更に別の実施の形態についての要部側面図である。
【００２５】
この例のマット体Ｍは、平面視における基本形状が実質上一定寸法の正方形状をなす多数の要素マット体Ｂが、互いに所定の間隙を挟んで碁盤目状をなすように平面的に（例えば一定平面上に）隣接配列された状態で、隣接要素マット体Ｂ同士が結合部Ｊを介して連結されてなる。その全体の形状は、平面視において正方形状をなすが、長方形状又はその他の形状であってもよい。また、要素マット体Ｂの平面視における形状も、正方形状に限らず、長方形若しくはその他の多角形、円形、楕円形、又はその他の形状を採用することも可能である。また、マット体Ｍ中の各要素マット体Ｂの基本形状及びその寸法は、必ずしも一定であることを要しない。
【００２６】
このマット体Ｍは、結合部Ｊ及び要素マット体Ｂを含むマット体Ｍ全体が合成樹脂（プラスチック材料の一例）により一体成形されてなる。このマット体Ｍの用途は靴の泥落とし等である。このマット体Ｍは、同一の他のマット体Ｍと平面的に隣接連結し得、その連結を解除することができる。このマット体Ｍでは、連結及び連結解除の手段として、何れかの隣り合う２辺に連結ループ部Ｌが設けられ、他の隣り合う２辺に、連結ループ部Ｌに嵌合着脱し得る連結突部Ｐが設けられている。なお、マット体Ｍ同士の連結及び連結解除については、可能なものであることを必ずしも要しない。
【００２７】
要素マット体Ｂは、格子状の上盤部Ｅ１の所要箇所に下方突出の支持体Ｅ２を備えてなる要素マット基盤部Ｅと、格子状の上盤部Ｅ１から上方に突起した多数の芝葉状部Ｇ（上部構造部の一例）を有する。上盤部Ｅ１は、上下貫通の多数の方形状格子孔Ｅ３と、下方閉塞の多数のブラシ植毛用穴Ｅ４を有する。
【００２８】
なお、要素マット体Ｂは、プラスチック材料製（主に合成樹脂、特に熱可塑性樹脂が好適である）の要素マット基盤部Ｅを備えるものであればよく、例えば要素マット基盤部Ｅのみからなるものとすることや、要素マット基盤部Ｅと上部構造部を有するものとすることもできる。
【００２９】
要素マット基盤部Ｅとしては、格子状（若しくはスノコ状又は板状）の上盤部Ｅ１の所要箇所に下方突出の支持体Ｅ２を備える構成の他、支持体Ｅ２を有しない格子状（若しくはスノコ状）又は板状とすることや、その他の構成とすることもできる。要素マット基盤部Ｅは、マット体Ｍに載荷される人や物の重量を支承する構造部分である。
【００３０】
上部構造部の例としては、要素マット基盤部Ｅと一体に成形された芝葉状部Ｇ若しくはその他の形状の構造部や、別体のブラシ部若しくはその他の物を要素マット基盤部Ｅに固定した構成等を挙げることができる。
【００３１】
なお、結合部Ｊと、要素マット体Ｂのうち要素マット基盤部Ｅを含む部分（例えば、結合部Ｊと要素マット体Ｂ全体、又は、結合部Ｊと要素マット基盤部Ｅのみ）は、プラスチック材料により一体成形される。
【００３２】
結合部Ｊは、断面倒立Ｕ字状をなし、その一方の下端部が一方の結合端部Ｊ１を構成し、他方の下端部が他方の結合端部Ｊ１を構成し、中央上部に屈曲部Ｊ２を有する。隣接要素マット体Ｂにおける、間隙部を挟んで隣接する両外周縁部上面に、それぞれ前記結合部Ｊの一方の結合端部Ｊ１と他方の結合端部Ｊ１が結合している。従って、結合部Ｊ全体が要素マット基盤部Ｅの上面以上に位置する。
【００３３】
結合部Ｊは、要素マット体Ｂの１辺当り２箇所に間隔おきに設けられ、それぞれ所定長（隣接要素マット体Ｂ間の間隙に沿った長さ）をなす。結合部Ｊの上端部の高さは芝葉状部Ｇの高さよりも低く構成されている。なお、結合部Ｊの配置や長さ等は特には限定されない。
【００３４】
上側が内側になるようにマット体Ｍを折り曲げる場合（例えば図３の左端から右方上側に折り曲げる場合）に、主に結合部Ｊのうち断面倒立Ｕ字状をなす上に凸の屈曲部Ｊ２の屈曲角及び両結合端部Ｊ１の間隔が拡がることによりマット体Ｍが折れ曲がり、マット体Ｍを復元させることにより前記屈曲部Ｊ２も復元する。
【００３５】
マット体Ｍを折り曲げた際の折曲線（隣接要素マット体Ｂ間の間隙に沿った線。例えば図１におけるVI−VI線。）と結合部Ｊの屈曲部Ｊ２における屈曲軸線は、ほぼ上下平行状をなすか又はほぼ一致しており、折曲線上には要素マット体Ｂが存在しない。これらの構成は、それぞれ本発明のマット体において望ましい。
【００３６】
結合部Ｊは、温度に応じた要素マット体Ｂの伸縮による寸法変動を吸収することができ、結合部Ｊが収縮しても、連結された一方の要素マット体Ｂの浮き上がりを招くことが生じ難い。結合部の収縮による連結された一方の要素マット体の浮き上がりを防ぐ上では、結合部の形状は、この例の断面倒立Ｕ字状をなす結合部Ｊのように、隣接要素マット体間の間隙に対し対称状をなすことが望ましい。
【００３７】
また、上側が内側になるようにマット体Ｍを折り曲げる場合に、主に断面倒立Ｕ字状をなす屈曲部Ｊ２の屈曲角が拡がることによりマット体Ｍが無理なく折れ曲がるので、大きな面積にわたるマット（単独のマット体Ｍ、又は、複数の要素マット体Ｂからなるマット体Ｍを複数連結したマット）を巻くことにより、マット体Ｍを載置した面やマット体Ｍの下側部の清掃等を容易に行うことができる。
【００３８】
また、この例のマット体Ｍでは、隣接要素マット体Ｂにおける、間隙部を挟んで隣接する両外周縁部上面に、それぞれ前記結合部Ｊの一方の結合端部Ｊ１と他方の結合端部Ｊ１が結合しており、断面倒立Ｕ字状をなす屈曲部Ｊ２を含む結合部Ｊ全体が要素マット基盤部Ｅの上面以上に位置するので、間隙部の幅を最小限に抑えて、例えば折り曲げない通常使用時にハイヒールのヒールのように細い物が嵌まり込むことを防ぎつつ、上側が内側になるようにマット体Ｍを折り曲げる際に、上に凸の屈曲部Ｊ２の屈曲角が拡がることが隣接要素マット基盤部Ｅ同士の接触等により阻害されることを防いで、マット体Ｍを折り曲げることが行い易いものとなっている。
【００３９】
また、この例の場合、要素マット体Ｂは、要素マット基盤部Ｅよりも上方に結合部Ｊ以外の上部構造部である芝葉状部Ｇを有し、結合部Ｊの上端部の高さが結合部Ｊ以外の上部構造部である芝葉状部Ｇの高さよりも低い。そのため、マットとして折り曲げずに使用する際に、結合部Ｊが傷んだり結合部Ｊがマットとしての機能を阻害することなどが防がれる。
【００４０】
なお、結合部は、隣接要素マット体の一方及び他方にそれぞれ結合した一方の結合端部と他方の結合端部を有すると共に、一方の結合端部から他方の結合端部に至るまでの間に、上に凸の屈曲部を有するものであればよい。結合部における上に凸の屈曲部は、必ずしも単数に限らず、例えば断面略字状をなすものとすることもできる。
【００４１】
結合部の一方の結合端部と他方の結合端部は、隣接要素マット体における、間隙部を挟んで隣接する両外周縁部（例えば外周縁部上面、或いは外周縁部側面）に、それぞれが結合していることが望ましい。
【００４２】
図７及び図８は、結合部Ｊにおける一方の結合端部Ｊ１と他方の結合端部Ｊ１が、それぞれ隣接する要素マット体Ｂの相対する側面に結合されている例である。図７に示すように、屈曲部Ｊ２の上部が要素マット基盤部Ｅの上面以下に位置するものとすることもでき、図８に示すように、上に凸の屈曲部Ｊ２の上部（若しくは全部）が要素マット基盤部Ｅよりも上方に位置するものとすることもできる。
【００４３】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００４４】
【図１】平面概略図である。
【図２】要部拡大平面図である。
【図３】正面概略図である。
【図４】要部拡大正面図である。
【図５】側面概略図である。
【図６】図１におけるVI−VI線要部拡大断面図である。
【図７】別の実施の形態についての要部側面図である。
【図８】更に別の実施の形態についての要部側面図である。
【符号の説明】
【００４５】
Ｂ      要素マット体
Ｅ      要素マット基盤部
Ｅ１    上盤部
Ｅ２    支持体
Ｅ３    方形状格子孔
Ｅ４    ブラシ植毛用穴
Ｇ      芝葉状部
Ｊ      結合部
Ｊ１    結合端部
Ｊ２    屈曲部
Ｌ      連結ループ部
Ｍ      マット体
Ｐ      連結突部
【図１】
0005490375.tif 000002
【図２】
0005490375.tif 000003
【図３】
0005490375.tif 000004
【図４】
0005490375.tif 000005
【図５】
0005490375.tif 000006
【図６】
0005490375.tif 000007
【図７】
0005490375.tif 000008
【図８】
0005490375.tif 000009